(57)【特許請求の範囲】
【請求項１】
（イ）本発明は、段ボール箱あるいは段ボール板など（以下、総称して段ボールと云う）に取り付ける留め具に関する、
（ロ）本留め具は、「本体部」と「つまみ」を有して成る、
（ハ）本体部は、「ピン」と「押え」とで成る、
押えは、平たい面を成すかたちに折り曲がり、ピンは、平たく折り曲がった（押えの）一端から折れ、該平たい面のほぼ中央を横断あるいは縦断するかたちで真っ直ぐに延び、平たい面を成した（押えの）他端に交叉する、
即ち、押え（の平たい面）とピンは、互いに挟み合う形態を成す、
（ニ）真っ直ぐに延びた（ピンの）ピン先は、平たい面を成した（押えの）輪郭から突き出て成る、
押えの輪郭から突き出る（ピン先部分の）長さは、対象とする段ボールの厚みを超えない長さで成る、
即ち、ピン先を、段ボールの正面に向けて突き立てたとき、ピン先部分が段ボールの裏側面（あるいは内側面）に突き出ない長さで成る、
因みに、ピン先が交叉する部分（の押え）の輪郭は、ピンを突き立てたとき、ピン先部分が所定の長さ以上に突き入らないよう、突き止まる機能あるいは突き止める機能を為す、
（ホ）付け外し操作を容易にするため、本体部（基本の構成）に加えて、押えの外方（ピンと向き合う側を内方として）に向いて起き立ったつまみ得る部分（上記のつまみ）をもつ、あるいは、ピンの後方に、押えが成した平たい面の延長線上よりも外方に向いて起き立ったつまみ得る部分（上記のつまみ）をもつ、
（ト）以上の如き特徴を有して成る留め具。
【請求項２】
（イ）本発明は、段ボール箱あるいは段ボール板など（以下、総称して段ボールと云う）に取り付ける留め具に関す、
（ロ）本留め具は、「ピン」と「押え」を有して成る、
（ハ）押えは、平たい面を成すかたちに折り曲がり、ピンは、平たく折り曲がった（押えの）一端から折れ、該平たい面のほぼ中央を横断あるいは縦断するかたちで真っ直ぐに延び、平たい面を成した（押えの）他端に交叉する、
即ち、押え（の平たい面）とピンは、互いに挟み合う形態を成す、
（ニ）真っ直ぐに延びた（ピンの）ピン先は、平たい面を成した（押えの）輪郭から突き出て成る、
押えの輪郭から突き出る（ピン先部分の）長さは、対象とする段ボールの厚みを超えない長さで成る、
即ち、ピン先を、段ボールの正面に向けて突き立てたとき、ピン先部分が段ボールの裏側面（あるいは内側面）に突き出ない長さで成る、
因みに、ピン先が交叉する部分（の押え）の輪郭は、ピンを突き立てたとき、ピン先部分が所定の長さ以上に突き入らないよう、突き止まる機能あるいは突き止める機能を為す、
（ホ）付け外し操作を容易にするため、上記した基本の構成に加え、押えを幾重（複数）に巻き重なるものとし、外方（ピンと向き合う側を内方として）に向いて出っ張った形態に成す、即ち、指先で押し引きができる部分を成す、
（ヘ）以上の如き特徴を有して成る留め具。
【請求項３】
（イ）本発明は、段ボール箱あるいは段ボール板など（以下、総称して段ボールと云う）に取り付ける留め具に関す、
（ロ）本留め具は、「ピン」と「押え」を有して成る、
（ハ）本留め具は、平たく折り曲がるかたちで、ピンと押えを成す、
ピンは、直状に延び、押えは、ピンの後端から折れて迂曲した後、ピンに添い合うかたちで真っ直ぐに延びる部分を成す、
即ち、ピンと押え（で成る基本の構成）は、互いに挟み合う形態を成す、
（ニ）真っ直ぐに延びた（ピンの）ピン先は、平たい面を成した輪郭から突き出て成る、
平たい面を成した輪郭から突き出る（ピン先部分の）長さは、対象とする段ボールの厚みを超えない長さで成る、
即ち、ピン先を、段ボールの正面に向けて突き立てたとき、ピン先部分が、段ボールの裏側面（あるいは内側面）に突き出ない長さで成る、
因みに、ピン先が突き出る部分（の押え）の輪郭は、ピンを突き立てたとき、ピン先部分が所定の長さ以上に突き入らないよう、突き止まる機能あるいは突き止める機能を為す、
（ホ）以上の如き特徴を有して成る留め具。
【請求項４】
本発明は、段ボール箱あるいは段ボール板あるいは板などに取り付く、あるいは段ボール板あるいは板などを支持する留め具であって、請求項１、又は２、又は３記載のピンと押えで成る部分（基本の構成）に加えて、他のものに取り付くため或いは他のものを支持するための適宜の手段あるいは手懸りとなる部分をもつ、あるいは、他のものから支持されるための適宜の手段あるいは手懸りとなる部分をもつ、請求項１、又は２、又は３記載の留め具。
【請求項５】
他のものに取り付くため或いは他のものを支持するための手段あるいは手懸りとなる部分、あるいは、他のものから支持されるための手段あるいは手懸りとなる部分を、縦(上下方向)に向けた状態にして見るとき、ピンは横(左方向または右方向)に向いた状態にあることを特徴とする請求項４記載の留め具。
【請求項６】
（イ）本発明は、段ボール箱あるいは段ボール板など（以下、総称して段ボールと云う）に取り付ける留め具に関す、
（ロ）本留め具は、「ピン」と「押え」を有して成る、
（ハ）本留め具は、平たく折り曲がるかたちを以ってピンと押えを成す（即ち、ピンと押えは、一平面上に向い合うかたち、あるいは一平面上に隣接するかたちに折り曲がって成る）、
ピンは、直状に延び、押えは、ピンの後端から折れて迂曲し、ピン先寄りの位置でピンの側面に行き違う（交叉する或いは重なり合う）、
云うなれば、押えは、ピンと正面合うかたち（即ち、同一平面上に折り曲がった形態）を以って、ピンの側面に行き違う、
押えが、ピンの先端寄り部分（の側面）に行き違う度合い（深さ）は、「押えをつまみもった状態でピンを突き立て、その状態のままピンを倒し、ピンを突き込む操作をしたとき」、行き違う状態が解除され得る程度で成る、つまり、押えを起こし立て、つまみもったままの状態で、突き込み（あるいは付け外し）できる形態を成す、
（ニ）ピン先部分は、迂曲した（押えの）輪郭から突き出て成る、
押えの輪郭から突き出る（ピン先部分の）長さは、対象とする段ボールの厚みを超えない長さで成る、
即ち、ピン先を、段ボールの正面に向けて突き立てたとき、ピン先部分が段ボールの裏側面（あるいは内側面）に突き出ない長さで成る、
因みに、ピン先が交叉する部分（の押え）の輪郭は、ピンを突き立てたとき、ピン先部分が所定の長さ以上に突き入らないよう、突き止まる機能あるいは突き止める機能を為す、
（ホ）上記した構成ならびに形態により、上記したように、段ボールの板面に留め付ける際には、「押え」を段ボールの板面に起こし立てた状態で（即ち、押えをつまみもっての）操作ができ、留め付け操作が済めば、留め具は自ずから板面に倒れる（即ち、押えは出っ張らない状態に寝る）、また、留め具を抜き外す際には、留め具を起し立てて（即ち、押えをつまみもって）抜き外し操作をすることができる、
（ヘ）以上の如き特徴を有して成る留め具。
【請求項７】
（イ）本発明は、段ボール箱あるいは段ボール板（以下、総称して段ボールと云う）に取り付ける留め具に関す、
（ロ）本留め具は、「ピン」と「押え」で成る構成（以下、小構成と云う）を、左右に連結して成る、
（ハ）押えは、平たく折り曲がって成り、ピンは、押えの一端から折れて直状に延び、押えの平たい面に添い合って延び、押えの他端に交叉する、あるいは押えの延長部分（左右に連結する部分）に交叉する、
即ち、ピンと押え、あるいはピンと押えの延長部分は、互いに挟み合う形態を成す、
（ニ）真っ直ぐに延びた（ピンの）ピン先部分は、押えの輪郭から、あるいは押えの延長部分（即ち、左右に連結する部分）から外方に突き出て成る、
押えの輪郭、あるいは押えの延長部分から突き出る（ピン先部分の）長さは、対象とするダンボールの厚みを超えない長さで成す、
即ち、ピン先を、段ボールの正面に向けて突き立てたとき、ピン先部分が段ボールの裏側面（あるいは内側面）に突き出ない長さで成る、
因みに、ピン先が交叉する部分の、押えの輪郭あるいは押えの延長部分は、ピンを突き立てたとき、ピン先部分が所定の長さ以上に突き入らないよう、突き止まる形態あるいは突き止める機能を為す、
（ホ）「ピン」と「押え」とで成る小構成は、一定の間隔をあけた状態で左右に連結される、
（ヘ）以上の如き特徴を有して成る留め具。
【請求項８】
本発明は、段ボール箱あるいは段ボール板あるいは板あるいは丸棒などに取り付く、あるいは段ボール板あるいは板などを支持する留め具であって、左右に連結する部分、あるいは押えの部分に、他のものに取り付くため或いは他のものを支持するための適宜の手段あるいは手懸りとなる部分を成す請求項７記載の留め具。
【発明の詳細な説明】
【技術分野】
【０００１】
本発明は、段ボール箱あるいは段ボール板を介して、紙片を掲示する留め具で、段ボールに突き刺すピンを有して成る留め具に関する。
【背景技術】
【０００２】
特許文献１、２に示すものは、段ボールの板面に取り付けたとき、押え側が段ボールの板面に起き立つ形態をもつものであるが故に、図11、13、23、26(2)(3)、27(3)に示す如くに、他の板(あるいは段ボール)を重ね合わせる使い方をする付帯部分を設ける上で不都合である。
【０００３】
特許文献３、４に示すものは、段ボールに留め付ける留め具ではない。仮に段ボールに突き立てたとき、ピン先が段ボールの裏側あるいは内側に突き出てしまう。
【０００４】
特許文献５に示すものは、段ボールの切り口断面から取り付くものであって、段ボールの板面に突き刺すかたちで取り付くことに適したものでない。
【０００５】
特許文献６に示すものは、本発明の図24に示すものと比べて、ピンをもつものでない。従って、ダンボールの板面に取り付けることができない。
【先行技術文献】
【特許文献】
【０００６】
【特許文献１】特願２００９−２０５９２８号
【特許文献２】特願２００３−３００５８０号
【特許文献３】実願昭５７−１１４６７４号
【特許文献４】実願昭５７−１１５１７４号
【特許文献５】特願２００２−１３３３７６号
【特許文献６】実願２００４−２７４６号
【発明の概要】
【発明が解決しようとする課題】
【０００７】
ドラッグストアー、スーパー、八百屋などでは、段ボール箱の上半部をカットし、商品が入ったままの状態で段ボール箱ごと陳列する方法が一般的になっている。然れど、然様な店頭現場の状況に応じて、値札やチラシなどの紙片を掲示するための適切な手段がなく、苦慮している現実がある。
【課題を解決するための手段】
【０００８】
本発明は、然様な現場に於いて、値札やチラシなどの紙片を掲示するために、適宜適切な方法をもって対応するための手段を供することを目的とするものである。
もう一つの狙いは、身近にある段ボール箱や段ボール板を適宜に利用し、店頭現場に於ける広告紙片の掲示の便を図ることである。
因みに、段ボール箱あるいは段ボール板は、紙片を掲示するための土台にもなる。また、段ボール板は、紙片を掲示するための台紙として便利に使用することができる。また、段ボール板は掲示紙片を兼ねることもできる。
依って、段ボール箱や段ボール板を利用するかたちで、現場の状況に応じて、適宜適切な方法と手段を以って掲示することができるよう、取り揃える留め具である。また、取り合わせて使用するモジュールでもある。
【０００９】
上記したように、本発明は、段ボール(段ボール箱あるいは段ボール板)を介して紙片を掲示する留め具であって、段ボールに紙片を留め付けるためのかたち(以下、かたち１とも云う)、あるいは、段ボールに取り付く或いは据え付くためのかたち(以下、かたち２とも云う)、あるいは、段ボール(段ボール板あるいは段ボール台紙)を支持するためのかたち(以下、かたち３とも云う)として、ピン側と押え側とで成る構成(以下、基本構成とも云う)をもつ留め具あるいはモジュールについて出願するものである。
【００１０】
基本の構成をもって、段ボール箱あるいは段ボール板に紙片を留め付ける「かたち１」のものについて、図１、３、４、５、６、24に示した。
「かたち１」のものは、大きく分けて、図１、３、４、５、６に示す如きものと、図24に示すものの２つがある。
【００１１】
図１、３、４、５、６に示すものは、基本構成を主体として成るものである。
（イ）基本の構成は、ピン側と押え側とを以って成る、
（ロ）押え側は、平たく円め折って成る、
（ハ）ピン側は、押え側と挟み合うかたちとして、円め折りの一端から折れて、真っ直ぐに延び、円め折りの他端に交叉する、あるいは円め折りと添い合う部分を成す、
（ニ）ピン先部分は、円め折りの輪郭の外方に突き出て成る、
（ホ）円め折りの輪郭は、ピンを突き立てたとき、ピン先部分が所定(の長さ)以上に突き入らないための、突き止める機能をもつ、
上記(イ)〜(ホ)に記載する事項をもって成る部分が、本発明で云うところの基本構成である。
尚、図１、３、４、５、６に示すものは、それぞれ独立した留め具として用をなすために、上記の基本構成に加え、
（ヘ）付け外し操作を容易にするために、つまみもち得る形態(あるいは機能)をもつ、あるいは、つまみもつ部分として、ピンの後方あるいは押え側に張り出した部分をもつものである。
【００１２】
図１、３、４、５、６に示すものを、図１のものを以って説明するならば、図２に示す如く、段ボール箱(あるいは段ボール板)に紙片を留め付ける使い方ができる。
【００１３】
図24に示すものは、基本構成を左右に連結して一対にした形態のものである。
図26(1)、27(1)に示す如く、段ボール箱(あるいは段ボール板)に紙片を留め付ける使い方ができる。
【００１４】
図５に示すものは、殊にデザインがシンプルである。依って、紙片を掲示する用途に於いて、目障りにならないかたちで使用でき、また製作し易い。
殊に幾重かに巻き重ねる状態をもって、つまみもち易い形態(付け外しに便利なかたち)を成した場合のものは、シンプルな上に使い易い。
【００１５】
基本の構成をもって、段ボール箱あるいは段ボール板に取り付く「かたち２」のものについて、図12、14、16に示した。
【００１６】
図12に示すものは、一方に、段ボール板(あるいは段ボール台紙)を支持するための突き込み部をもつもので、図13(1)に示す如く、段ボール箱に取り付き、図13(2)に示す如く、段ボール板を支持する使い方ができる。
【００１７】
図14に示すものは、一方に、一般的な紙片を支持するためのコイル状に巻いた挟み留めをもつもので、図15に示す如く、段ボール箱に取り付くとともに紙片を支持する使い方ができる。
【００１８】
図16に示すものは、一方に、段ボール板(あるいは段ボール台紙)を支持するための突き込み部をもつものである。縦に延びる突き込み部を除けば、平らたく折り曲がった座りをもつもので、図17に示す如く、段ボール板(あるいは土台板)に取り付く(あるいは据え付く)とともに、段ボール板を支持する使い方ができる。
【００１９】
基本の構成をもって、段ボール板（あるいは段ボール台紙）を支持する「かたち３」のものについて、図８、10、18、20、22、25、28に示した。
【００２０】
図８に示すものは、一方に、段ボール板を吊り下げるための手懸り(吊り輪)をもつもので、図９に示す如く、段ボール板に紙片を留め付け、同時に段ボール板を吊り下げる使い方ができる。
【００２１】
図10に示すものは、一方に、板の縁に取り付くための形態をもつもので、図11に示す如く、板や段ボール板あるいは段ボール箱の切り口の縁に取り付き、段ボール板(台紙)を支持し掲示する使い方ができる。
【００２２】
尚、図８、10に示すものは、基本構成に付帯して有した部分、即ち、図８の場合であれば、段ボール板を吊り下げるための手懸りとなる部分、図10の場合であれば、板の縁に取り付く構成部分を縦に見るとき、ピンの向かう方向が横に向いていることを特徴の一つとしているものである。この形態によって、段ボール板は、ずり落ちることのない状態で支持される。
【００２３】
図18に示すものは、基本の構成だけを以って成るものであるが、図18(1)(2)(3)に示すようにピン側と押え側が、線状に添い合う部分を以って挟み合う形態のものである。図19(1)に示す如く、段ボール板に留め付けたとき、押え側が起き立った状態を呈するので、この部分を図19(2)で示す如くの挟み留めクリップによって、挟持されるための手懸りとして供することができる。
図18に示すものは、図19(1)に示す如きに取り付けたとき、ピンを横軸にして押え側の傾きが変えられるので、図19(2)に示す如きの、他の挟み留めクリップで挟持されたとき、挟持される具合に対応した傾きを成すことができる。
因みに、図18に示すものは、図１、３、４、５、６に示すものと同様に、段ボール箱あるいは段ボール板に紙片を留め付ける用途にも使用できる。
【００２４】
図20に示すものは、図19をもって説明した図18のものと同様の使い方ができるものとして、即ち、図18のものに代わるものとして、プラスチックで成したものである。
図18で示したものは、金属線を折り曲げて成したものであるのに対し、図20に示したものはプラスチックで成したもので、他の挟み留めクリップにとって、挟持し易く、滑り難いので確かな状態で挟持できる。
因みに、図21は、図20に示したものを、段ボール板(台紙)の裏側に取り付けた様子を説明しているものである。
【００２５】
図20に示すものを製作する上では、突き込み部の付け根の部分が、つまみ部の縁から確かなかたちをもって突き出していることが大切である。この突き出している部分を有することによって段ボール板から不要に抜け外れることなく、安定した状態に取り付くものになる。
【００２６】
図22に示すものは、一方に、段ボール箱(あるいは段ボール板)に突き込んで立ち付くための突き込み部をもつもので、図23(1)に示す如きに取り付き、図23(2)に示す如くに段ボール板を支持する使い方ができる。
【００２７】
図25に示すものは、一方に、板の縁（あるいは段ボール箱の切り口の縁など)に取り付くための形態をもつもので、図26(2)、27(2)に示す如きに取り付き、図26(3)、27(3)に示す如くに段ボール板を支持し掲示する使い方ができる。
因みに、図25に示すものは、図24に示す左右に連結する部分を、他のものに取り付くための部分として改変あるいは発展させたものである。
【００２８】
図28に示すものは、一方に、丸棒に取り付くための形態をもつもので、図25に示したものと異なる点は、丸棒から不要に外れないようにするための、円め巻いた部分(ストッパーとして機能する部分)をもったものである。
図29(1)は、図28に示したものを以って段ボール板(台紙)を支持し、丸棒に取り付いた様子を、裏側から見た図である。図29(2)は、表側から見た図である。
【００２９】
以上に説明する中で、図12、14のものについて、段ボール箱あるいは段ボール板に取り付く「かたち２」のものであるとして、図13、15を以って、その取り付く様子を説明したが、図12、14に示した図を上下を逆にして見れば、図８、10、18、20、22、25に示したものと同様に段ボール板あるいは段ボール台紙を支持する「かたち３」のものでもある。
即ち、本明細書に於いては、一応の使い方を説明しているが、それぞれの留め具は適宜適切に現場の状況に応じて使って良いものである。
【００３０】
本発明は、適宜適切な使い方ができるように取り揃えたメニュー（あるいはモジュール)である。
段ボール箱に掲示する、段ボール箱あるいは段ボール板を利用して掲示する、段ボール板を台紙として、あるいは掲示紙片として掲示する。
然様に、本発明は、段ボールを介して掲示する留め具である。
【発明の効果】
【００３１】
多数の段ボール箱が使用され、段ボール片がたくさん発生するような店頭現場に於ける掲示手段として、段ボール箱や段ボール片を便利に使用し、適宜適切な方法手段を以って、掲示し得るメニューを取り揃えることができた。
【００３２】
店頭現場に広告紙片を掲示するための業務ならびに作業は、担当する者にとって極めて負担になるものである。本発明は、それを平準化し、能率良く処理する大きな助けになるものである。
【図面の簡単な説明】
【００３３】
【図１】本発明の実施形態を説明する図である。
【図２】本発明の実施形態を説明する図である。
【図３】本発明の実施形態を説明する図である。
【図４】本発明の実施形態を説明する図である。
【図５】本発明の実施形態を説明する図である。
【図６】本発明の実施形態を説明する図である。
【図７】本発明の実施形態を説明する図である。
【図８】本発明の実施形態を説明する図である。
【図９】本発明の実施形態を説明する図である。
【図１０】本発明の実施形態を説明する図である。
【図１１】本発明の実施形態を説明する図である。
【図１２】本発明の実施形態を説明する図である。
【図１３】本発明の実施形態を説明する図である。
【図１４】本発明の実施形態を説明する図である。
【図１５】本発明の実施形態を説明する図である。
【図１６】本発明の実施形態を説明する図である。
【図１７】本発明の実施形態を説明する図である。
【図１８】本発明の実施形態を説明する図である。
【図１９】本発明の実施形態を説明する図である。
【図２０】本発明の実施形態を説明する図である。
【図２１】本発明の実施形態を説明する図である。
【図２２】本発明の実施形態を説明する図である。
【図２３】本発明の実施形態を説明する図である。
【図２４】本発明の実施形態を説明する図である。
【図２５】本発明の実施形態を説明する図である。
【図２６】本発明の実施形態を説明する図である。
【図２７】本発明の実施形態を説明する図である。
【図２８】本発明の実施形態を説明する図である。
【図２９】本発明の実施形態を説明する図である。
【発明を実施するための形態】
【００３４】
以下、図を追って、本発明について説明する。本発明を説明する上で、図を見たままの状態で、上、下、縦、横、左、右、向こう、手前、裏、表の意味を使い分ける。
【００３５】
段ボール板とは、段ボール片、あるいは段ボールの切れ端など、本留め具が取り付く(あるいは据え付く)、あるいは本留め具をもって支持する対象のものを意味している。
段ボール台紙あるいは台紙とは、一般の紙片(掲示紙片)を留め付ける対象となる段ボール板で、本留め具を以って支持する対象のものを意味している。
紙片あるいは掲示紙片とは、段ボール箱あるいは段ボール板(台紙)に留め付けて表示する対象の紙片のことであるが、段ボール板自体を掲示紙片として使用する場合もある。この場合の段ボール板(掲示紙片)は、段ボール台紙を兼ねているものである。
段ボールとは、段ボール箱、段ボール板を総称した意味で用いている。
【００３６】
本留め具について、「ピン先が、円め折りの輪郭の外方に突き出て成る」としているが、突き出る部分の長さは、対象とする段ボールの板厚を超えない範囲の長さを指しているもので、例えば、対象とする段ボールが４ミリ厚の場合は、２〜４ミリほどである。依って、図７(1)に示すように、ピンを突き立てたとき、ピン先が段ボールの裏側面に突き出ることはない。この点、例えば、本留め具と同様に平たく折り曲って成る特許文献３、４に示すものは、突き出るピン先部分の長さに斯様な縛り(技術思想)をもつものでない。
【００３７】
図１、３、４、５、６に示すものは、段ボール箱あるいは段ボール板に紙片を留め付けるためのものである。
ピン側と押え側とを以って成る基本の構成に加えて、付け外し操作のためにつまみもち易くした部分、あるいは、つまみもち得る形態をもつものである。
それぞれの留め具は、段ボールの板目(板厚を成す穴筋)に対して、縦方向からも横方向からも突き刺して留め付けることができる。
【００３８】
図１に示すものは、ピンの後方に「つまみ」を設けたものである。
因みに、図１(1)は、斜視図である。図１(2)は、側面図である。
【００３９】
図２は、図１、３、４、５、６に示すものについて、図１に示すものを代表図として、段ボール箱に紙片を留め付けた様子を説明するものである。
【００４０】
ピン側と押え側とからなる構成の押え側部分について、図１のものが円形の円め折りであるのに対し、図３は細長い円め折りのものにして、その形状は任意であることを説明しているものである。
因みに、図３(1)は、斜視図である。図３(2)は、側面図である。
【００４１】
「つまみ」とする部分について、図１、３に示したものがピンの後方に設けたものであるのに対し、図４は、押え側の表側に起き立ったかたちに設けたもので、「つまみ」を設ける部位あるいは「つまみ」の形態は、任意であることを説明しているものである。
因みに、図４(1)は、斜視図である。図４(2)は、側面図である。
【００４２】
図５は、ピン側と押え側とからなる構成である。
因みに、図５(1)は、正面図である。図５(2)は、押え側の円め折りが一重である場合の側面図である。図５(3)は、押え側の円め折りを三重(あるいは複数)にした場合の側面図である。
図１、３、４に示したものは、それぞれ押え側の形状と別のかたちの「つまみ」をもつものであるのに対し、図５(3)に示すものは、幾重かに円め折ることによって、指に当る部分の厚みを大きくして付け外しをし易くしたもので、言うなれば押え側の円め折り自体が、「つまみ」を兼ねるものに成り得ることを説明しているものである。この形態のものは、デザインがシンプルである、目障りにならない、製作し易い、などの特徴がある。
【００４３】
図６に示すものは、図５に示すものの変形である。図６は、図５に示したものと同様に、平たく折り曲げて成したものであるが、ピンと押え側とが交接する部分の、交接する深さ(程度)を浅く(僅かに)したものである。図６(1)(2)は斜視図である。
【００４４】
図１、３、４、５に示すものは、段ボールに留め付けるとき、押え側の円め折った平たい面を段ボールの板面に向かい合うかたちでピンを突き込み、その状態に於いて段ボールの板面に留め付けるものである。また、図１、３、４、５に示すものは、「つまみ」とする部分を備えたものである。
これに対し、図６に示すものは、「つまみ」とする特別な部分を設けない代わりに、押え側をつまみもって付け外しできる形態をとったものである。
【００４５】
図７を以って、図６(1)のものについて付け外しの様子を説明する。
段ボールの板面に留め付けるときは、図７(1)に示す如くにピン先を突き立てる。このとき、押え側の輪郭は、ピン先部分が所定の長さ以上に突き入らないための、突き止める働きをする。この点については、図１、３、４、５に示すものも同様である。
ピン先部分を突き刺したままの状態で、図７(2)に示す如くにピンを寝かせたとき、ピンと押え側の交接していた部分の交接状態が解き放される。
即ち、図６に示すものは、図７(2)に示すようにピンを倒したとき、交接していた部分が解けて離れる程度に、ピン側と押え側の僅かな部分が重なり合うかたちの形態にしているものである。
【００４６】
図７(2)の状態のまま、即ち、起き立った状態に押え側をつまみもったまま、ピンを突き込んでいくと、図７(3)で示すように、ピン先寄りの部分が押え側と大きく離されるため、バネが働き、突き込みにブレーキが掛かる、即ち、突き込みの手応えが重くなる。その時点で、つまみもった指を離せば、押し広げられたピン側と押え側は元の状態(ピン先寄りで重なり合う状態)に戻ろうとして、図７(4)に示す如くに、起き立てている押え側は、段ボールの板面に倒れ、その状態(段ボールの板面に平たく張り付いた状態)で、紙片を押える働きをする。
【００４７】
即ち、図６に示すものは、留め付けた状態に於いては、段ボールの板面に平たく張り付いて邪魔にならない。そして、付け外しのときには、押え側を起し立ててつまみもつことができ、付け外し操作に便利である、と云うものである。
尚、図６(2)に示すもののように、ピンの後端寄りの部分をやや外側(押え側と向き合う側を内側として、その反対側)に張り出したかたちのものにしておくと、図７(2)(3)に示す状態に於いて、その部分が段ボールの板面に着地して、ピンを突き込む傾きを一定のものにし、上記したブレーキが、更にしっかり効くものになる。
【００４８】
図８、10に示すものは、段ボール板を支持する留め具である。
ピン側と押え側とを以って成る基本構成に加えて、他のものに取り付くための手懸りあるいは手段をもつものである。
【００４９】
図８に示すものは、基本構成の端(図面上端)に吊り輪になる形態を設けたもので、図９に示すように、段ボール板に紙片を留め付けると同時に吊り下げるための吊り輪を供するものである。因みに、図８(1)は、正面方向から見た斜視図である。図８(2)は、側面図である。
図８に示すものは、吊り輪の位置を縦(上端)に見るとき、ピンは横方向に向いたものにしている。即ち、吊り輪とピンとを縦横の関係に構成している。依って、例えば、図９に示すかたちで吊り下げたとき、台紙(段ボール板)がピンから抜け外れて落ちることはない。
【００５０】
図10に示すものは、ピン側と押え側とを以って成る基本構成に加えて、板状体のものの縁に取り付く(挟み付く)ための手段をもったものである。
図10(1)は、斜視図である。図10(2)は、正面図である。図10(3)は、側面図である。
図10に示すものも、図８に示したものと同様に板状のものの縁に取り付く形態を縦に見るとき、ピンを横方向に向けている。依って、支持している台紙(段ボール板)は、落ちることはない。
【００５１】
図11は、本留め具(図10に示すもの)を２つ使用して、段ボール板を支持し掲示している様子を裏側から見た図である。図11のものを上下を逆にして見れば、段ボール板あるいは段ボール箱に取り付き、板状のもの(あるいは段ボール板)を支持し掲示する使い方のものになる。
【００５２】
図12、14、16に示すものは、ピン側と押え側とを以って成る基本構成に加えて、紙片あるいは段ボール板を支持し掲示するための手段を有したものである。
【００５３】
図12に示すものは、段ボール板を支持するための手段として、段ボール板(台紙)の板厚断面の穴筋に突き込んで支持するための突き込み部を有したものである。図12(1)(2)は、正面方向から見た斜視図である。
図13(1)に示すものは、図12(1)のものを２つ１組にして使用した例である。図13(2)に示すように、段ボール(台紙)を支持する用途に向いたものである。
【００５４】
図12(2)に示すものは、図12(1)に示すものに、ストッパーとなる部材を付け合せたものである。実施例では、肉厚のチューブを上下にスライドが可能な程度にやや強めに嵌め付け、段ボール板の掲示位置を適宜に設定(あるいは調整)できるものにした。上記のストッパーに代えて、方向を調整し得る継ぎ手を有するものにするのも良い。
図12に示す突き込み部を、棒状のジョイントとして捉え、筒状のジョイントをもつものと繋ぎ合わせる使い方もできる。
【００５５】
図14に示すものは、紙片を支持するための手段が異なるだけで、図12(1)に示したものと同じである。
図14に示すものは、紙片を支持する部分をコイル状に巻き重ねたものであるが、下半部分と同じく基本構成をもつものにしても良い。図12、14は、然様に任意の形態をとって良いことを説明するものである。
図14(1)は、正面方向から見た斜視図である。図14(2)は、側面図である。
【００５６】
図15は、図14に示したものを以って、段ボール箱に紙片を掲示した様子を説明するものである。
因みに、図12、14に示すものも、段ボール箱に取り付く部分は、図８、10に示したものと同様に円形に円め折るかたちであっても、また、ピンが横を向くかたちであっても良い。
【００５７】
図16に示すものは、図17に示すように、水平状態に置いた土台とする段ボール板に、平たく張り付くように取り付いて立つ形態のものである。適宜のスペースに立て据える(立て掲げる)簡便な使い方ができる。台紙を支持する部分(上半部分)は、段ボール板(段ボール台紙)の板厚断面に突き込む形状のものを図示しているが、任意の形態のものであって良い。
実施例では、段ボール板(台紙)を支持する上下の位置を調整するために、図12(2)に示したものと同様のストッパーを備えたが、この部分を、方向を調整し得る継ぎ手に代えても良い。
図16は、斜視図である。
【００５８】
図18に示すものは、図19(1)に示すように、台紙とする段ボール板の裏側上端寄りの部位に取り付け、図19(2)に示す如きの、一般的なクリップを以って挟持し得る「つまみ」あるいは「耳」となる部分を供するものである。
図18(1)(2)(3)は、斜視図である。図18(1)(2)(3)のものは、いずれも平たく折り曲げて成したものである。それぞれ押え側の形態を異なるかたちで表現しているが、その形態は、下記の条件の下に任意に設計して良いことを説明しているものである。
基本的な形態としては、押え側は、真っ直ぐに延びるピンと添い合うかたち(挟み合うかたち)で、並行して延びる部分を有すること、押え側は、つまみもち易い形態をとること、押え側の輪郭から突き出るピン先部分の長さは、他図で説明しているものと同様に、対象とする段ボール板の厚みを超えないことなどである。
【００５９】
図20に示すものについては、既に述べた。因みに、図20(1)は、斜視図である。図20(2)は、側面図である。図20(3)は、平面図である。
図20では、突き込み部を１本にしているが、２本であっても良い。また、「つまみ」あるいは「耳」とする部分を平たい長方形状のものにしているが、概ね平たいかたち(即ち、一般的なクリップを以って挟持でき得るかたち)であれば、円形でも、半円形でも、三角形でも、四角形でも良い。尚、突き込み部とつまみ部とが繋がる部分は、柔軟に折り曲がるものにすれば更に使用し易い。
【００６０】
図21(1)は、図20に示したものを、台紙(段ボール板)の裏側上端寄りの部位に取り付けた様子を示すもので、図21(2)に示すような、一般的なクリップを以って挟持し得る「つまみ」あるいは「耳」となる部分を供する様子を説明しているものである。
【００６１】
図22に示すものは、図18(3)に示したものに、段ボールの板厚内部の穴目に突き込み可能とする突き込み部を設けた(付加した)ものである。
図22は、正面方向から見た斜視図である。
【００６２】
図23(1)は、図22に示したものを、段ボール箱の側面に取り付けた様子を説明するものである。図23(2)は、段ボール板(台紙)を支持した上で、留め具が図23(1)の状態と同様に取り付けた様子を説明するものである。
図22に示すものは、ピン側と押え側とから成る基本構成の部分が、ピン側と押え側が隣り合せに添い合うかたちで成り、ピンが横軸を成すかたちに横に向いて延び、段ボール箱に取り付く突き込み部分が、縦に延びているので、特徴として、図23(2)に示すように、段ボール板(台紙)を傾けるかたちで支持し掲示することができる。
【００６３】
図24は、ピン側と押え側とから成る基本の構成を左右に連結して、一対にした形態のものである。
図24(1)(2)(3)は、それぞれ正面方向から見た斜視図である。
図24(1)(2)(3)に示すように、基本構成部分の円め折りのかたちは、任意の設計で良い。
左側のピンと右側のピンとの間隔も任意で良い。実施例では、４センチ、６センチ、８センチの間隔など、任意に設定したもので行った。
【００６４】
図24に示したものについて、使用の一例を図26(1)、27(1)に示した。
本留め具は、段ボール箱あるいは段ボール板(台紙)に紙片を掲示する留め具として最適である。
【００６５】
図25に示すものは、図24 に示したものについて、左右に連結する部分を板の縁に取り付く形態に変えたものである。図25(1)は、正面方向から見た斜視図である。図25(2)は、側面図である。
図25に示すものは、段ボール板(台紙)の裏側に取り付け、図26(2)に示すように板(あるいは段ボール箱の切り口)の縁に取り付ける使い方ができるものである。図26(3)は、その取り付けた状態を表側から見た様子を示したものである。
【００６６】
図25に示すものは、図26(2)に示すような使い方に限らず、上下の向きを逆に使用し、図27(2)に示すように、段ボール箱(あるいは段ボール板)に取り付けた上で、図27(3)に示すように段ボール板(台紙)を支持し掲示する使い方もできる。
【００６７】
因みに、図８、９、図10、11、図12、13、図14、15、図16、17、図22、23、図24で説明しているものも、それぞれ上下の向きを逆にして使用することができる。
【００６８】
図28に示すものは、図25に示すものに、ストッパーとなる機能を加えたものである。図25に示すものは、板(あるいは段ボール)の縁に取り付けて使用するものとして説明したが、図28に示すものは、丸棒に取り付けて使用するものとして説明する。
図28は、正面方向から見た斜視図である。
【００６９】
図29は、図28のものについて、段ボール板(台紙)を支持した上で、丸棒に取り付いた様子を説明するものである。
図29(1)は、丸棒に取り付いた様子を裏側から見た図である。円め巻いた部分が、丸棒の下寄りの位置に突っ掛り、ストッパーとして機能する。人(手)の力を以って付け外しする分には、ストッパーの突っ掛りは容易に押し外すことができる。図29(2)は、表側から見た図である。
【００７０】
以下、重点事項について述べる。
基本構成を成すピン側と押え側は、バネの作用をもって挟み合う関係をもつものであるから、相応にバネの働く素材(部材)を用いることが肝要である。部材を特定あるいは限定するものではないが、実施例では、＃16(1.6〜1.5ミリ)の針金ならびにステンレス線、1ミリ径のピアノ線を使用した。結果は良好であった。
【００７１】
基本構成を成す押え側の形状について、「円め折った形状」の表現を以って記述しているが、図24、25、28に示すもの(あるいは角張った部分を有したもの)も含めて、「円め折った形状」と表現している。
【００７２】
本発明の思想は、「段ボールに留め付ける」、「段ボールに取り付く」、「段ボールを支持する」など、段ボールを介して紙片を広告するあるいは掲示する留め具(あるいはモジュール)を得ることである。
【００７３】
段ボールに留め付ける、段ボールに取り付く、段ボール板(台紙)を支持する、それらの共通の技術手段として、平たく円め折った部分(押え側)をもち、その端から平たい面に添い合うかたちで真っ直ぐに延びる部分(ピン側)をもつ、ピンは、平たく円め折った部分に添い合うかたち、あるいは平たく円め折った他端に交叉するかたちを以って押え側と挟み合う関係を成す。
円め折りの輪郭から突き出るピン先部分の長さは、対象とする段ボールの板厚を超えない程度とし、円め折りの輪郭は、ピン先部分が所定の長さ以上に突き入らないためのストッパーとなる形態を成す。
本発明は、以上の如きピン側と押え側とから成る基本構成をもとに、多様な構成あるいは形態を有した留め具である。
【００７４】
本明細書で、「挟み合う」と説明している意味は、ピン側と押え側とが当接し合うかたちで挟み合う関係に限らず、対象とするものに挟み付けたとき、そのものを挟み付けた(挟み入れた)ことによって挟み合う、あるいは押え合う作用に働く関係を含むものである。
【００７５】
本発明は、全体の図(図１〜29)を通して、発明全体を説明しているものであって、個々の図で説明する具体的な技術内容によって、それぞれの請求項に記載する技術内容が限定されるものではない。
【産業上の利用可能性】
【００７６】
段ボール箱に商品が入ったままの状態で陳列しているような店頭現場で、広告紙片を掲示するための留め具として、現場の状況に応じて適宜適切に対応できる留め具(あるいはモジュール)を揃えることができた。
図２に示すかたちのほか、例えば図９に示すかたち、あるいは図11、13に示すかたち、あるいは図15に示すかたち、あるいは図17に示すかたち、あるいは図19、21に示すかたち、あるいは図23に示すかたち、あるいは図26、27に示すかたち、あるいは図29に示すかたちなどである。
広告紙片を掲示する業務の平準化を計る上で大いに役立つものである。また、販売促進に寄与するものである。
【符号の説明】
【００７７】
Ａ    段ボール箱、土台(段ボール板)
Ｂ    板(板、段ボール板、柵板など) 
Ｃ    丸棒(丸棒、柵棒など) 
Ｄ    段ボール板(段ボール板、段ボール台紙、台紙など)
Ｅ    紙片、掲示紙片、
Ｆ    段ボール(段ボール箱、段ボール板の総称)
Ｇ    留め具(基本の構成)
Ｇ2    押え側、円め折り(の部分)、押え
Ｇ4    ピン側、ピン
Ｈ    連結部
Ｋ    つまみ部、つまみ
Ｌ1   つまみとする部分
Ｌ2   突き込み部、突き込み
Ｌ3   吊り輪
Ｌ4   ストッパー
Ｌ5   挟み留め部
【要約】
【課題】従来の留め具(特許文献１のもの)は、段ボール箱あるいは段ボール板に留め付けるだけの形態のもので、台紙とともに紙片を吊り下げる機能、あるいは他のものに取り付くための機能、あるいは他のものから支持されるための機能などを持つもつものに応用し得る形態のものでなかった。故に、使い道が限定的であり、利用の道が開かれ難いものであった。
【解決手段】本発明は、段ボール箱や段ボール板を介在させて掲示することをコンセプトとして、段ボール箱や段ボール板に取り付くための構成(基本構成)に加えて、他のものに取り付くための機能をもつもの、あるいは他のものから支持されるための機能をもつものなどを揃えた。これにより、店頭現場の状況に対応した方法手段を以って、掲示作業を進めることができ、それぞれの留め具(あるいはモジュール)は、相乗し合って利用価値を高め、延いては、掲示作業の能率向上ならびに販売促進に寄与することができる。
【選択図】  図１【図１】
0004717150.tif 000002
【図２】
0004717150.tif 000003
【図３】
0004717150.tif 000004
【図４】
0004717150.tif 000005
【図５】
0004717150.tif 000006
【図６】
0004717150.tif 000007
【図７】
0004717150.tif 000008
【図８】
0004717150.tif 000009
【図９】
0004717150.tif 000010
【図１０】
0004717150.tif 000011
【図１１】
0004717150.tif 000012
【図１２】
0004717150.tif 000013
【図１３】
0004717150.tif 000014
【図１４】
0004717150.tif 000015
【図１５】
0004717150.tif 000016
【図１６】
0004717150.tif 000017
【図１７】
0004717150.tif 000018
【図１８】
0004717150.tif 000019
【図１９】
0004717150.tif 000020
【図２０】
0004717150.tif 000021
【図２１】
0004717150.tif 000022
【図２２】
0004717150.tif 000023
【図２３】
0004717150.tif 000024
【図２４】
0004717150.tif 000025
【図２５】
0004717150.tif 000026
【図２６】
0004717150.tif 000027
【図２７】
0004717150.tif 000028
【図２８】
0004717150.tif 000029
【図２９】
0004717150.tif 000030